(57)【要約】
【課題】本考案は、ＭＰ３音声記録／再生装置を提供する。
【解決手段】メモリモジュールを備える代わりに、本考案のＭＰ３音声記録／再生装置は、外部記憶装置に接続され、これにより複雑なプロセスを避ける。ユーザは、音楽をダウンロードするために、コンピュータ内にＭＰ３音声記録／再生装置のドライバをインストールする必要はなく、かつＭＰ３音声記録／再生装置を伝送線経由でコンピュータに接続する必要もない。したがって、本考案は、大いにコストを減らして、効率を増進させることができる。
【選択図】図１
0003099755.tif 000002
【実用新案登録請求の範囲】
【請求項１】
　音楽フォーマットを読み出して再生するための、ＵＳＢインタフェースおよび音声出力装置経由で携帯用記憶装置に接続されるＭＰ３音声記録／再生装置において、このＭＰ３音声記録／再生装置は、従来のＭＰ３音声記録／装置の基本的な構成を有していて、
　その本体の適当な位置に設けられた少なくとも一つのＵＳＢインタフェースソケットと、その本体のもう一つの適当な位置に設けられた音声ソース出力穴とを備えていて、
　前記ＵＳＢインタフェースソケットは、ＭＰ３音声記録／再生装置をＵＳＢインタフェース経由で記憶装置に接続するために用いられ、前記音声ソース出力穴は、ＭＰ３音声記録／再生装置を音声出力装置に接続するために用いられ、これにより操作が容易になっていて、かつ構成が単純化されていることを特徴とするＭＰ３音声記録／再生装置。
【請求項２】
　前記音声出力装置は、ユーザの頭部に着用される一組のイヤホンであることを特徴とする請求項１に記載のＭＰ３音声記録／再生装置。
【請求項３】
　前記音声出力装置は、スピーカーであることを特徴とする請求項１に記載のＭＰ３音声記録／再生装置。
【請求項４】
　前記記憶装置は、可動ディスクであることを特徴とする請求項１に記載のＭＰ３音声記録／再生装置。
【請求項５】
　前記ＭＰ３音声記録／再生装置は、ＵＳＢインタフェースに接続されているシステム制御ユニットと、ディスプレイパネルと、ＭＰ３記録／再生ユニットとを備えていて、前記ＭＰ３記録／再生ユニットは、もう一つの音声ソースと、記録ユニットと、再生ユニットとに接続されていることを特徴とする請求項１に記載のＭＰ３音声記録／再生装置。
【考案の詳細な説明】
【技術分野】
【０００１】
　本考案は、ＭＰ３音声記録／再生装置に関し、特に、簡単に使え、かつ操作されるＭＰ３音声記録／再生装置に関する。このＭＰ３音声記録／再生装置は、メモリモジュールを有する代わりに、外部記憶装置に接続され、これによりコストが減少され、かつ操作が単純化されている。これは、余分な複雑なプロセス、例えばドライバをインストールすることを避ける。
【背景技術】
【０００２】
　技術が進むにつれて、社会はより繁栄し、人々の収入は増加し、生活の質は増進される一方で、生活のプレッシャーもまた、多様な要因のために増加する。したがって、人々のために生活のプレッシャーを軽減することは、重要な主題である。スポーツ、旅行、登山、そして音楽を聞くことによって、プレッシャーは軽減されることができ、かつ魂が吹き込まれ、鼓舞されることができる。音楽に関して、音楽製造および再生のための機器は、大いに改良されて進歩した。
【０００３】
　関連した技術は、録音テープから、コンパクトディスク（ＣＤ）、ビデオコンパクトディスク（ＶＣＤ）、ＤＶＤ、ＭＰ３へと開発されてきたが、これらは別々のフォーマットを有しているので、別々の再生装置を必要とする。言及した全てのフォーマットの中で、ＭＰ３音楽フォーマットは、最少の収納場所しか必要としないので、ＭＰ３音声記録／再生装置は普及していて、あらゆる系統にとって、ほとんど不可欠なものとなっている。ＭＰ３音声記録／再生装置は、ＭＰ３フォーマットを有する音楽を再生するために用いられる。しかし、従来のＭＰ３音声記録／再生装置は、この装置内にメモリモジュールが設けられていて、ユーザが、コンピュータによってディジタル的にコード化された音楽フォーマットをダウンロードすることを望むとき、このユーザは、ダウンロードのために、コンピュータ内にＭＰ３音声記録／再生装置のドライバをインストールし、かつ伝送線を用いてＭＰ３音声記録／再生装置をコンピュータに接続しなければならない。
【０００４】
　上記したように、プロセスおよび操作が複雑なので、ユーザは混乱し、かつコストも増大する。最初のＭＰ３装置が新しいタイプのＭＰ３装置によって置き換えられると、最初のドライバをコンピュータから削除して、新しいドライバをインストールしなければならない。このように、ユーザはコンピュータに精通していなければならない。さもなければ、ＭＰ３音声記録／再生装置を操作するとき、ユーザは失望させられ、かつ混乱するであろう。言及した問題を回避するために、業界では新しいモデルを開発するための努力がなされている。
【考案の開示】
【考案が解決しようとする課題】
【０００５】
　したがって、本考案の目的は、ＭＰ３音声記録／再生装置を提供することである。内部に設けられるメモリモジュールを有する代わりに、ＭＰ３音声記録／再生装置は、ＵＳＢインタフェースを有する携帯用記憶装置（例えば、可動(traveling)ディスク）に接続されるので、ユーザは、装置のドライバをインストールする必要はなく、操作プロセスは、より容易かつ単純になる。ＵＳＢインタフェースを有する記憶装置を用いることによって、ＭＰ３フォーマットを有する音楽が、コンピュータに／からアップロードおよびダウンロードされ、ダウンロードされた音楽は、ＵＳＢインタフェースを有する記憶装置に記憶される。記憶された音楽を保持する記憶装置は、ＵＳＢインタフェース経由でＭＰ３音声記録／再生装置に接続され、これにより音楽を再生する。ユーザは、ＵＳＢインタフェースを有する記憶装置の容量を自由に選択することができるので、コストが抑制されて、効率が増進される。
【課題を解決するための手段】
【０００６】
　本考案によるＭＰ３音声記録／再生装置は、従来の(original)ＭＰ３音声記録／再生装置の基本的な構成を有していて、かつ、その本体の適当な位置に設けられた少なくとも一つのＵＳＢインタフェースソケットと、その本体のもう一つの適当な位置に設けられた音声ソース出力穴とを備えている。ＵＳＢインタフェースソケットは、ＭＰ３音声記録／再生装置をＵＳＢインタフェース経由で記憶装置に接続するために用いられ、音声ソース出力穴は、ＭＰ３音声記録／再生装置を音声出力装置に接続するために用いられ、これにより音楽フォーマットを読み出して再生する。
【考案を実施するための最良の形態】
【０００７】
　添付の図面は、本考案の好ましい実施形態を示している。また、これらの図面は、明細書中に組み込まれていて、明細書の一部を形成しており、図面中の同一の符号は同一の部品を示している。また、これらの図面は、この記述と共に、本考案の原理を説明するのに役立つ。
【０００８】
　最初に、図１を参照してください。図１は、本考案によるＭＰ３音声記録／再生装置１０の斜視図である。ＭＰ３音声記録／再生装置１０は、ＵＳＢインタフェースを有する携帯用記憶装置２（例えば可動ディスク）に接続され、これにより装置１０のドライバをインストールするプロセスを避け、装置１０の操作を容易にする。ＭＰ３音声記録／再生装置１０の本体１の一端は、ＵＳＢインタフェースを有する記憶装置２に接続され、かつ本体１の他端は、音声出力装置３に接続され、これにより音楽フォーマットを読み出して再生する。
【０００９】
　図２を参照してください。図２は、本考案によるＭＰ３音声記録／再生装置１０の分解図である。ＭＰ３音声記録／再生装置１０は、再生、一時停止、クイックレビュー(quick-reviewing)、歌のピックアップ(picking-up)、およびチューニング(tuning)の基本的な機能を有している。ＭＰ３音声記録／再生装置１０は、その本体１の適当な位置に設けられた少なくとも一つのＵＳＢインタフェースソケット１１と、その本体１のもう一つの適当な位置に設けられた音声ソース出力穴１２とを備えている。ＵＳＢインタフェースソケット１１は、ＭＰ３音声記録／再生装置１０をＵＳＢインタフェース経由で記憶装置２に接続するために用いられ、音声ソース出力穴１２は、ＭＰ３音声記録／再生装置１０を音声出力装置３に接続するために用いられ、これにより音楽フォーマットを読み出して再生する。
【００１０】
　音声出力装置３は、ユーザの頭部に着用される一組のイヤホンであってもよい。ユーザは、彼または彼女と共に、音声出力装置３すなわちイヤホンを容易に携帯することができ、したがって、ユーザは、移動時に音楽を聞くことができる。
【００１１】
　図３を参照してください。図３は、本考案によるＭＰ３音声記録／再生装置１０のブロック図である。ＭＰ３音声記録／再生装置１０は、ＵＳＢインタフェースに接続されたシステム制御ユニット、ディスプレイパネルおよびＭＰ３記録／再生ユニットを備えている。ＭＰ３記録／再生ユニットは、もう一つの音声ソース、記録ユニットおよび再生ユニットに接続されている。言及した構成は、一般的なＭＰ３音声記録／再生装置の基本的な構成である。従来技術と比較すると、システム制御ユニットとＭＰ３記録／再生ユニットとの間に設けられていたメモリモジュールが取り除かれていて、本考案によるＭＰ３音声記録／再生装置１０は、外部メモリモジュール（例えば可動ディスク）に接続される。
【００１２】
　図４を参照してください。図４は、スピーカーに接続された本考案によるＭＰ３音声記録／再生装置１０の斜視図である。ユーザが家または屋内にいるときには、このユーザは、ＭＰ３音声記録／再生装置１０を固定された位置に設置することができる。図４に示すように、ＭＰ３音声記録／再生装置１０の音声ソース出力穴１２は、音声出力装置３に接続される。本実施形態においては、音声出力装置３はスピーカーである。
【００１３】
　当業者であれば、本考案の教えを維持する一方での装置の多数の修正および変形が可能なことに、容易に気づくであろう。それゆえに、上記の開示は、添付の請求項の境界および範囲によってのみ限定されるものと解釈されなければならない。
【図面の簡単な説明】
【００１４】
【図１】本考案によるＭＰ３音声記録／再生装置の斜視図である。
【図２】本考案によるＭＰ３音声記録／再生装置の分解図である。
【図３】本考案によるＭＰ３音声記録／再生装置のブロック図である。
【図４】スピーカーに接続された本考案によるＭＰ３音声記録／再生装置の斜視図である。
【符号の説明】
【００１５】
　１　本体
　２　記憶装置
　３　音声出力装置
　１０　ＭＰ３音声記録／再生装置
　１１　ＵＳＢインタフェースソケット
　１２　音声ソース出力穴
【図１】
0003099755.tif 000003
【図２】
0003099755.tif 000004
【図３】
0003099755.tif 000005
【図４】
0003099755.tif 000006